(57)【要約】【課題】本発明は、応答速度を落とすことなく、希望の視野角のまま背景色を黒くしたＬＣＤユニットを提供することを課題とする。【解決手段】２枚の液晶パネル１−１，１−２を、同じ表示座標上の画素同士が重なるように重ねて配置する。２つの液晶パネル１−１，１−２には、同じＬＣＤドライバ３から同じ表示信号が入力され、同じ画素のシャッターが開閉される。シャッターを閉じている画素は、２枚の液晶パネル１で光を遮断されるので、より黒く表示することが出来る。【選択図】図１
2011242813.tif 000002
【特許請求の範囲】
【請求項１】
第１の接点を有する第１の液晶パネルと、
前記第１の液晶パネルとは独立して構成され、自己の画素が前記第１の液晶パネルの該自己の画素に対応する画素と重なるように配置された、第２の接点を有する第２の液晶パネルと、
前記第１の液晶パネル及び前記第２の液晶パネルを共に駆動する１つのＬＣＤドライバと、
前記ＬＣＤドライバと、前記第１の液晶パネル及び前記第２の液晶パネルを共に接続する１つの接続手段と、
を備え、
前記ＬＣＤドライバは、第３の接点を有し、
前記接続手段は、フレキシブルケーブルからなり、一端に前記第１の接点と電気的に接続される第４の接点と、他端に前記第２の接点と電気的に接続される第５の接点と、前記第４の接点と前記第５の接点との間に前記第３の接点と電気的に接続される第６の接点とを有することを特徴とするＬＣＤユニット。
【請求項２】
前記接続手段は、フレキシブルケーブルの前記第４の接点と前記第６の接点との間にスルーホールを有し、前記第４の接点を前記第５の接点及び前記第６の接点の逆面に設けることを特徴とする請求項１に記載のＬＣＤユニット。
【請求項３】
第１の接点を有する第１の液晶パネルと、
前記第１の液晶パネルとは独立して構成され、自己の画素が前記第１の液晶パネルの該自己の画素に対応する画素と重なるように配置された、第２の接点を有する第２の液晶パネルと、
前記第１の液晶パネル及び前記第２の液晶パネルを共に駆動する１つのＬＣＤドライバと、
前記ＬＣＤドライバと、前記第１の液晶パネルとを接続する第１の接続手段と、
前記ＬＣＤドライバと、前記第２の液晶パネルとを接続する第２の接続手段と、
を備え、
前記ＬＣＤドライバは、第３の接点を有し、
前記第１の接続手段は、フレキシブルケーブルからなり、一端に前記第１の接点と電気的に接続される前記第４の接点と、他端に第５の接点有し、
前記第２の接続手段は、フレキシブルケーブルからなり、一端に前記第２の接点と電気的に接続される第６の接点と、他端に前記第５の接点と電気的に接続される第７の接点と、前記第６の接点と前記第７の接点との間に前記第３の接点と電気的に接続される第８の接点と、有し、
前記第５の接点と前記第７の接点とは、フレキシブルケーブルを前記第７の接点の手前部分で折り曲げることにより接続されることを特徴とするＬＣＤユニット。
【請求項４】
第１の接点を有する第１の液晶パネルと、
前記第１の液晶パネルとは独立して構成され、自己の画素が前記第１の液晶パネルの該自己の画素に対応する画素と重なるように配置された、第２の接点を有する第２の液晶パネルと、
前記第１の液晶パネル及び前記第２の液晶パネルを共に駆動する１つのＬＣＤドライバと、
前記ＬＣＤドライバと、前記第１の液晶パネルとを接続する第１の接続手段と、
前記ＬＣＤドライバと、前記第２の液晶パネルとを接続する第２の接続手段と、
を備え、
前記ＬＣＤドライバは、第３の接点と、第４の接点とを有し、
前記第１の接続手段は、フレキシブルケーブルからなり、一端に前記第１の接点と電気的に接続される前記第５の接点と、他端に前記第３の接点と電気的に接続される第６の接点とを有し、
前記第２の接続手段は、フレキシブルケーブルからなり、一端に前記第２の接点と電気的に接続される前記第７の接点と、他端に前記第４の接点と電気的に接続される第８の接点とを有することを特徴とするＬＣＤユニット。
【請求項５】
前記第１の接点と、前記第２の接点と、前記第３の接点と、前記第４の接点とは、ＬＣＤユニットの表示面方向側に設けられていることを特徴とする請求項４に記載のＬＣＤユニット。
【請求項６】
前記第１の接点と前記第３の接点とは、ＬＣＤユニットの表示面方向側に設けられ、
前記第２の接点と前記第４の接点とは、ＬＣＤユニットの表示面方向逆側に設けられていることを特徴とする請求項４に記載のＬＣＤユニット。
【請求項７】
前記第１の液晶パネルと前記第２の液晶パネルは、前記各画素に対応したシャッターを備え、
該第１の液晶パネルは、前記第２の液晶パネルの前記シャッターが開いている画素に対応する画素のシャッターを開き、前記第２の液晶パネルの前記シャッターが閉じている画素に対応する画素のシャッターを閉じることを特徴とする請求項１〜６のいずれか一つに記載のＬＣＤユニット。
【請求項８】
前記第１の液晶パネルと前記第２の液晶パネルは、同一の表示信号の入力により、画像の表示を行うことを特徴とする請求項１〜７のいずれか一つに記載のＬＣＤユニット。
【請求項９】
請求項１〜８のいずれか一つに記載の複数のＬＣＤユニットと、
前記複数のＬＣＤユニットそれぞれが備える前記ＬＣＤドライバに代えて、前記複数のＬＣＤユニットそれぞれが備える前記複数の液晶パネルを接続する一つのＬＣＤドライバと、
を備え、
前記複数のＬＣＤユニットが備える複数の液晶パネルの同一座標の画素を、互いに重なるように配置することを特徴とするＬＣＤユニット。
【発明の詳細な説明】
【技術分野】
【０００１】
本発明は、液晶表示装置に用いられるＬＣＤ（Liquid rystal Display）ユニットに関する。
【背景技術】
【０００２】
液晶表示装置は、種々の形式の表示を行うことが出来、また表示内容の変更も表示プログラムを変えることにより容易に行える為、今日、駅での案内や空港などの宛先表示等では、従来からある機械式の表示板に取って代わっている。また街中においても、液晶表示装置は店の広告表示などのディスプレイにも盛んに用いられている。
【０００３】
この様な用途で用いられる液晶表示装置は、通常ＬＣＤユニットを縦横に複数組み合わせて構成されている。図１０は、一般的なＬＣＤユニットの構成図である。
【０００４】
ＬＣＤユニットは、液晶パネル１０１と、光源となるバックライト１０２を備えている。バックライト１０２は、ＬＣＤユニットの筐体１０５内部に設けられ、図１０（ａ）の様に、単色光源を用いていたり、あるいは同図（ｂ）の様にＬＥＤによって光源の色を変化させて用いたりする。
【０００５】
液晶パネル１０１は、ＴＮ方式等によるもので、バックライト１０２から照射される光を後面から受ける形で設けられており、各画素に対応してシャッターが設けられている。このシャッターは外部からの表示信号に基づいてＬＣＤドライバ１０３によって開閉されるもので、シャッターが開いている画素ではバックライトの光が前面に透過され、逆にシャッターが閉じている部分は光が遮断される。ＬＣＤユニットは、液晶パネル１０１のシャッターの開閉を外部からの信号によって制御して、液晶パネル１０１前面の表示画面上の光らせたい画素のシャッターを開いてバックライトの光を液晶パネルの前面に透過させ、また光らせたくない部分のシャッターを閉じて光を遮断することによって、任意の形状を液晶パネルの前面に表示する仕組となっている。
【０００６】
液晶パネル１０１近辺に設けられたＬＣＤドライバ１０３は、各画素に対応するシャッターの開閉を駆動するものであり、この液晶表示装置の全体の表示制御を行う制御装置からの表示信号によってシャッターの開閉を行う。
【発明の概要】
【発明が解決しようとする課題】
【０００７】
上述したように、液晶表示装置は、液晶パネル１０１のシャッターの開閉によって後面から照射される光の透過／遮断によって画面表示を行うものであり、例えば文字を表示させる場合、表示文字の形状に対応する画素のシャッターを開いて光らせ、他の部分のシャッターを閉じて黒く表示して文字の背景とする。従って文字となる部分と背景となる部分のコントラスト比が大きければ、それだけ明確に表示することが可能となる。
【０００８】
しかし、液晶パネル１０１では、シャッターを閉じた部分は１００％光を遮断できるわけではなく、液晶の分子配列のばらつきにより実際にはある程度の光を透過させてしまう。その為、本来光を遮断して黒く見えなけれればならない部分が、図１０（ａ）の様な単色光源の場合は濃紺色に、また同図（ｂ）の様にカラー光源の場合には光源の色によって異なるが、やはり黒色とはならない。そして背景色が黒とならないと、文字部分とのコントラストが悪くなり、液晶のシャッター効果を完全に得ることが出来ない。
【０００９】
この点を解決するものとして、種々の方式が提案されているが、これら従来の方式とその問題点を以下に示す。
・ネガ（ノーマリーブラック）表示ＴＮ単板方式
電圧ＯＮ部分を白、ＯＦＦ部分を黒と表示する方式で、視野角は広く応答速度は５０ｍｓ程度であるが、液晶材料を封入する隙間、セルギャップ（セル厚）の設定により高速化する事が可能である。また背景色は基本的には濃紺になり、十分に黒く表示できるまでにはいかない。流動表示を行う公共表示に使用することは可能である。
・Ｇ．Ｈ方式及びＧ．Ｈ−ＴＮ方式
液晶に染料を混ぜて、液晶自体を黒く表示させる方式であるが、十分な黒を出すには、セル厚を厚くして染料を多く混ぜなければならない。従って、セル厚が厚くなるため応答速度か遅くなり、流動表示を行う公共表示には不向きである。
・強誘電性方式
視野角は広く、応答速度も速い。しかしセル厚を非常に薄くしなければならない為、製造歩留りが悪くなる。また使用温度範囲が狭く、液晶材料の特性から機械的な衝撃に弱いという弱点を持つ。
・ＳＴＮ方式に位相差板を用いた方式
ネガ表示ＴＮ方式と同等であり、黒表示を得ようとした場合、視野角が狭くなる。
・ポジ表示（電圧ＯＮ部分を黒、ＯＦＦ部分を白く表示する）−ＴＮ方式背景として、十分に黒く表示することが出来るが、視野角が狭くなる。
【００１０】
上記従来の方式の問題点を鑑み、本発明は、応答速度を落とすことなく、希望の視野角を得たまま背景色を十分に黒く表示可能なＬＣＤユニットを提供することを課題とする。
【課題を解決するための手段】
【００１１】
上記問題点を解決するために、本発明によるＬＣＤユニットは、第１の液晶表示手段及び第２の液晶表示手段を備える。
【００１２】
第２の液晶表示手段は、自己の画素が上記第１の液晶表示手段の該自己の画素に対応する画素と重なるように配置される。この構成により、液晶表示手段を透過する光は、第１の液晶表示手段と第２の液晶手表示段の両方を通過するので、１つの液晶表示手段による構成より光を遮断することが出来る。
【００１３】
また上記第１の液晶表示手段と上記第２の液晶表示手段が、上記各画素に対応したシャッターを備え、該第１の液晶表示手段は、上記第２の液晶表示手段の上記シャッターが開いている画素に対応する画素のシャッターを開き、上記第２の液晶表示手段の上記シャッターが閉じている画素に対応する画素のシャッターを閉じる構成にすることにより、液晶表示手段を１つ持つ構成より高いコントラスト比を持つことが出来る。
【００１４】
更に上記第１の液晶表示手段及び上記第２の液晶表示手段を共に駆動する１つのＬＣＤドライバ手段を更に備える構成とすることにより、１つのＬＣＤドライバ手段を第１及び第２の液晶表示手段によって共有することが出来る。
【００１５】
また第１及び第２の液晶表示手段の他に更に液晶表示手段を備える構成とすることも出来る。
【発明の効果】
【００１６】
本発明によれば、応答速度を落とすことなく、希望の視野角のまま背景色を黒くしたＬＣＤユニットを実現することが出来る。
【００１７】
また表示部分と背景とのコントラスト比が大きく、明確な表示が可能なＬＣＤユニットを実現することが出来る。更に各液晶パネルで１つのＬＣＤドライバを共用できるので、単に液晶パネル１を重ねた構成とした場合より、軽量化、低コスト化を図ったＬＣＤユニットが実現可能となる。
【図面の簡単な説明】
【００１８】
【図１】本実施形態におけるＬＣＤユニットの構成図である。
【図２】本実施形態の原理図である。
【図３】液晶パネルの第１の重ね合わせ方式を示す図である。
【図４】ガイド周辺部分を詳細に示す図である。
【図５】液晶パネルの第２の重ね合わせ方式を示す図である。
【図６】外形合わせ治工具を用いた液晶パネルの位置合わせの例を示す図である。
【図７】ギャップ材の配置構成例である。
【図８】液晶パネルの数に合わせてＬＣＤドライバを設けた場合の構成を示す図である。
【図９】２つの液晶パネルを１つのＬＣＤドライバによって駆動する場合の液晶パネルとＬＣＤドライバの基板との接続例を示す図である。
【図１０】一般的なＬＣＤユニットの構成図である。
【発明を実施するための形態】
【００１９】
図１は、本実施形態におけるＬＣＤユニットの構成図である。図１のＬＣＤユニットは、図１０の従来のものに比して、２つの液晶パネル１−１，１−２を２枚重ねにして備える構成となっている、この２つの液晶パネル１は、前面から見て、液晶パネル１上の同じ表示座標上の画素同士が重なるように配置されている。また、２つの液晶パネル１−１，１−２には、同じＬＣＤドライバ３から同じ表示信号が入力され、同じ位置の画素のシャッターが開閉される。
【００２０】
図２に本実施形態の原理図を示す。本実施形態では、液晶パネルを複数枚重ねることにより、１枚の液晶パネル１で遮断しきれなかった光を、２枚目、３枚目の液晶パネル１によって遮断する。これにより、背景色が濃紺程度の色だったものをより黒に近い色にすることが出来る。同図では、シャッター閉の部分を透過率ｔ％とすると、バックライト２からの光のｔ％が１枚目の液晶パネル１を透過し、２枚目は更にそのｔ％の光が透過する。
【００２１】
透過率ｔ％の液晶パネル１をｎ枚重ねた時の透過率Ｔ％は、
Ｔ＝（ｔ／１００）n ×１００（％）
と表せる。例えば１枚の液晶パネルで黒表示した部分の透過率が０．６％であったとすると、液晶パネルを２枚重ねると透過率は０．００３６％となり、液晶パネル１を２枚重ねると１枚の構成の場合より各段にバックライト２の光を遮断することが出来、より明確に黒色を表現することが出来る。
【００２２】
またこの構成の場合、各液晶パネル１そのものは既存のものをそのまま用いることが出来、また応答速度や視野角は使用している液晶パネル１の性能そのものが反映されるので、液晶パネル１に必要とする応答速度や視野角のものを選択すればそのままＬＣＤユニットの応答速度と視野角になる。
【００２３】
この様に本実施形態では、複数の液晶パネル１０２を重ねることにより希望の視野角、応答速度を維持したまま、従来の構成の場合より背景色をより黒に近づけることが出来る。
【００２４】
本実施形態のＬＣＤユニットでは、複数の液晶パネル１を持ち、この液晶パネル１上の各画素が複数の液晶パネル１間で正確に重なる様に各液晶パネル１を重ね合わせて配置する必要があるので、重ね合わせる液晶パネル１の位置決めが重要になってくる。
【００２５】
図３は、液晶パネルの第１の重ね合わせ方式を示す図である。同図及び図５乃至図６では、説明簡略化の為、２つの液晶パネルを重ね合わせた場合を例としているが、同様の仕方によって３つ以上の液晶パネルを重ね合わせることも可能である。
【００２６】
同図（ａ）は、ＬＣＤユニットの正面図、同図（ｂ）が側面から見た図、同図（ｃ）が下面から見た図である。図３に示す第１の重ね合わせ方式では、樹脂や板金等によって作成される筐体５にガイド１１を設け、各液晶パネル１をこのガイド１１に合わせて筐体５にはめ込むことにより、各液晶パネル１の位置合わせと固定を行えるように構成するものである。
【００２７】
この方式は、精度の高い位置合わせは難しいので、画素の大きさが１ｍｍ角以上の場合等、位置合わせに高い精度が要求されない場合に有効である。またこの方式は、構造が単純であり、また製造行程においても複雑なプロセスを必要としないので、容易に且つ安価に実現することが出来る。
【００２８】
図４は、図３のガイド１１周辺部分１２を詳細に示した図である。同図（ａ）は、２つの液晶パネル１−１，１−２を接触させた状態で重ね合わせたもので、同図（ｂ）は、２つの液晶パネル１−１と１−２の間にすきまを設けた構成である。
【００２９】
同図（ｂ）の構成の場合、同図（ａ）の構成に比べると、隙間の大きさに比例して各液晶パネル１の視差が大きくなってしまうが、物理的衝撃に対して強い構成となる。また同図（ｂ）の様に、２つの液晶パネル１−１と１−２の間に隙間（ギャップ）を設けることにより、２つの液晶パネル１−１と１−２との間にニュートンリングが生じるのを防げる。
【００３０】
また同図（ａ），（ｂ）にあるように液晶パネル１と筐体５との間にテープやスポンジによる緩衝部材１３を設けることにより耐衝撃性を増した構成とすることも出来る。更に２つの液晶パネル１−１，１−２の間に緩衝部材（ギャップ材）１４を設けることにより、より耐衝撃性を増す構成とすることも出来る。尚この点については後述する。
【００３１】
図５は、液晶パネルの第２の重ね合わせ方式を示す図である。第２の重ね合わせ方式では、２つの液晶パネル１−１，１−２にそれぞれ位置合わせ用にマーク２１−１，２１−２及び２２−１，２２−２を設け、このマーク２１、２２が２つの液晶パネル１−１，１−２において正確に重なるように液晶パネル１を重ねることにより、位置合わせを行う方式である。
【００３２】
同図において、液晶パネル１−１上の十字型のマーク２１−１が液晶パネル１−２のマーク２１−１に、またマーク２２−１がマーク２２−２にピッタリと重なるように２つの液晶パネル１−１，１−２を重ね合わせ、接着剤２３等によって固定することにより、２枚の液晶パネル１−１，１−２の位置合わせ、及び接合を行う。
【００３３】
この第２の方式は、高い精度の位置合わせを実現できるので、画素が小さい場合においても対応することが出来る。図６は、外形合わせ治工具を用いた液晶パネルの位置合わせの例を示す図である。
【００３４】
複数の液晶パネル１の重ね合わせる位置の位置合わせを行うための治工具２４は、外形ピン２３を備えており、この外形ピン２３によって液晶パネル１の位置決めを行う。外形ピン２３は、液晶パネル１の４隅のそれぞれに２本ずつ配置されるており、それぞれの隅において２本のピン２３で液晶パネル１の角を挟む形で、位置固定する。
【００３５】
液晶パネル１の位置合わせを行う場合、この治工具２４にまず１枚目の液晶パネル１をピン２３の内側に入れ、その上から両面テープや接着剤２６を液晶パネル１上の数箇所、周囲前面若しくはパネル前面に塗布し、この上に次の液晶パネル１を積み重ねる。液晶パネル１が３枚以上ある場合は、更にその上に両面テープ若しくは接着剤２６を塗布して、次の液晶パネル１を積み重ねてゆく。
【００３６】
この治工具２６を用いれば、正確な位置合わせを行うことが出来る。次に上述した重ね合わせた液晶パネル１間のギャップについて説明する。図７は、重ね合わせた液晶パネルの間にギャップを設ける構成とした時に、間に入れるギャップ材の配置例である。
【００３７】
上述したように、重ね合わせた液晶パネル１間にギャップを設けることにより、物理的な衝撃に対する耐性を向上させ、また２つの液晶パネル間の干渉によるニュートンリングが発生するのを防げる。この時、２つの液晶パネル１−１，１−２間にギャップ材を設けたほうが、より耐衝撃性を増すことが出来る。
【００３８】
図７（ａ）〜（ｃ）は、両面テープ、片面テープ、フィルム材等をギャップ材３１として用いた場合で、ＬＣＤユニットの用途や構成、コストなどを考慮して液晶パネル１の全周（同図（ａ））、両脇（同図（ｂ））、四隅（同図（ｃ））にギャップ材３１を設ける。尚ギャップ材３１の厚さは任意であるが、視差を考慮すると極力薄いもののほうが良い。また同図（ｄ）は、ギャップ材として透明な極少のビーズ３２を用いた例で、ビーズ３２を液晶パネル１上全面に散布し、これを２つの液晶パネル１−１，１−２によって挟むことによりギャップ材としている。
【００３９】
図７（ａ）〜（ｄ）のいずれの構成でも、液晶パネル１に対する物理的衝撃はギャップ材によって分散されたり、吸収されたりするので、液晶パネル１の耐衝撃性を増すことが出来る。
【００４０】
次に、液晶パネル１とＬＣＤドライバ３の接続について説明する。図８は、液晶パネル１の数に合わせてＬＣＤドライバ３を設けた場合の接続例を示す。
【００４１】
本実施形態の構成の様に液晶パネル１を複数設けた場合において、各液晶パネル１をそれぞれ別のＬＣＤドライバ３によって駆動した場合、図８に示すように、例えば液晶パネル１が２つの場合ＬＣＤドライバ３も２つと、液晶パネル１の数と同数のＬＣＤドライバ３が必要となり、コスト増、重量増につながる。
【００４２】
しかし本実施形態のＬＣＤユニットでは、液晶パネル１を複数備えていても各液晶パネル１は全て同じ表示信号が入力されて同じ画像を表示している。従って、ＬＣＤドライバ３の電気的駆動能力の範囲内であれば、全ての液晶パネル１を１つのＬＣＤドライバ３によって駆動する構成とすることも可能である。
【００４３】
尚ここでの１つのＬＣＤドライバ３とは、１つの液晶パネル１を駆動可能なＬＣＤドライバ３を指す。図１の構成では、ＬＣＤドライバ３を２つ備えているが、この２つのＬＣＤドライバ３は、本来１つに構成するものを、筐体５への格納の問題から２つに分けたものであり、１つが液晶パネル１の上半分、もう１つが下半分を駆動するものである。従って、図１の構成は、ここでいう１つのＬＣＤドライバ３によって全ての液晶パ
ネル１を駆動する構成と等価である。
【００４４】
図９は、２つの液晶パネル１を１つのＬＣＤドライバ３によって駆動する場合の、各液晶パネル１−１，１−２とＬＣＤドライバ３の基板５４との接続例を示す図である。同図中の矢印はＬＣＤドライバ３から出力される表示信号（駆動波形）の流れを示しており、×で示されている部分は接点となっている部分を示す。尚、同図において、液晶パネル１のコネクタとフレキシブルケーブル４との接続及びフレキシブルケーブル４間の接続は圧接若しくは熱圧着等の圧着、ＬＣＤドライバ３のプリント基板５４とフレキシブルケーブル４との接続は、圧接、圧着若しくはコネクタ接続となっている。
【００４５】
図９に例として示すように、２つの液晶パネル１−１，１−２とＬＣＤドライバ３の接続の仕方は多々考えられる。同図（ａ）の方式は、ＬＣＤドライバ３に２つの液晶パネル１用の接点５２−１，５２−２を設け、これらと液晶パネル１−１，１−２上の接点５１−１，５１−２をフレキシブルケーブル４−１，４−２で結ぶ構成である。
【００４６】
同図（ｂ）の方式は、ＬＣＤドライバ３を構成する基板５４にスルーホール５５を設け、このスルーホール５５によってドライバＩＣ５３から出力される表示信号を基板５４の両面に通し、各面の接点５２−１，５２−２からフレキシブルケーブル４−１，４−２によって各液晶パネル１の接点５１−１，５１−２に接続する構成である。
【００４７】
同図（ｃ）の方式は、基板５４上に１つのみ接点５２を設け、この接点５２からフレキシブルケーブル４−２によって液晶パネル１−２の接点５１−２と結び、液晶パネル１−１の接点５１−１とは、フレキシブルケーブル４−２上に設けた接点５６とフレキシブルケーブル４−１によって接続することによって結ぶ構成である。
【００４８】
同図（ｄ）の方式は、１本のフレキシブルケーブル４の途中に接点５７を設け、この接点５７と基板５４上の接点５２を圧着し、またフレキシブルケーブル４の両端を各液晶パネル１の接点５１−１，５１−２と接続する構成である。
【００４９】
同図（ｅ）の方式は、フレキシブルテーブル４の途中にスルーホール５８を設けてフレキシブルケーブル４の液晶パネル１−１側の接点を逆面にし、液晶パネル１−１の接点５１−１において同図（ｄ）の様にフレキシブルケーブル４を折り返さずに接続する構成である。
【００５０】
同図（ｆ）の方式は、ギャップ材として異方性導電ゴムコネクター類５９を用いる構成である。異方性導電ゴムコネクター類５９はカーボンワイヤー等の導体物質がゼブラ状に配置されたもので、縦方向のみに導通する。同図（ｆ）ではＬＣＤドライバ３と液晶パネル１−２をフレキシブルケーブル４で結び、液晶パネル１−１と液晶パネル１−２との間をこの異方性導電ゴムコネクター類５を間に加圧接触することによって接続する構成となっている。
【００５１】
同図（ｇ）は、フレキシブルケーブル４−２の途中に接点を設け、この接点とＬＣＤドライバ３上の接点５２とを接続すると共に片端の接点を液晶パネル１−２の接点５２と接続し、もう片側の接点を折り返して液晶パネル１−１と接続しているフレキシブルケーブル４−１と接続する構成となっている。
【００５２】
本実施形態のＬＣＤユニットは、図９に示したいずれかの接続の方式若しくは他の接続方式によって１つのＬＣＤドライバ３と複数の液晶パネル１を接続することにより、ＬＣＤユニット３を複数の液晶パネル１が共有する構成を実現することが出来る。
【符号の説明】
【００５３】
１、１０１ 液晶パネル
２、６、１０２、１０６ バックライト
３、１０３ ＬＣＤドライバ
４、１０４ フレキシブルケーブル
５、１０５ 筐体
１１ ガイド
１３ 緩衝部材
１４、３１ ギャップ材
３２ ビーズ
【図１】
2011242813.tif 000003
【図２】
2011242813.tif 000004
【図３】
2011242813.tif 000005
【図４】
2011242813.tif 000006
【図５】
2011242813.tif 000007
【図６】
2011242813.tif 000008
【図７】
2011242813.tif 000009
【図８】
2011242813.tif 000010
【図９】
2011242813.tif 000011
【図１０】
2011242813.tif 000012